(57)【要約】【課題】機密性の高い原稿の取り忘れを防止する。【解決手段】載置された原稿に関する情報を取得する原稿情報取得部７１と、原稿情報取得部７１により取得された原稿に関する情報に基づいて、原稿の機密性が高いか否かを判定する判定部７２と、判定部７２により原稿の機密性が高いと判定された場合、取り忘れ防止処理を実行する取り忘れ防止処理部７４とを備える。【選択図】      図１
2012109761.tif 000002
【特許請求の範囲】
【請求項１】
載置された原稿に関する情報を取得する原稿情報取得手段と、
前記原稿情報取得手段により取得された原稿に関する情報に基づいて、前記原稿の機密性が高いか否かを判定する判定手段と、
前記判定手段により前記原稿の機密性が高いと判定された場合、取り忘れ防止処理を実行する取り忘れ防止処理手段と、
を備えたことを特徴とする印刷装置。
【請求項２】
前記原稿情報取得手段は、
前記原稿に関する情報として前記原稿のサイズを取得し、
前記判定手段は、
前記原稿情報取得手段により取得された原稿のサイズが所定の印刷サイズより小さい場合に、前記原稿の機密性が高いと判定する
ことを特徴とする請求項１記載の印刷装置。
【請求項３】
前記原稿情報取得手段は、
前記原稿に関する情報として前記原稿から読み込まれた画像データを取得し、
前記判定手段は、
前記原稿情報取得手段により取得された画像データに人物の顔画像が含まれている場合に、前記原稿の機密性が高いと判定する
ことを特徴とする請求項１又は２記載の印刷装置。
【請求項４】
前記原稿情報取得手段は、
前記原稿に関する情報として、前記原稿にＩＣが含まれているか否かを示す情報を取得し、
前記判定手段は、
前記原稿情報取得手段により取得された情報に基づいて、前記原稿にＩＣが含まれている場合に前記原稿の機密性が高いと判定する
ことを特徴とする請求項１〜３のうちいずれか１項記載の印刷装置。
【請求項５】
当該印刷装置に課金部が備えられているか否かを判定する課金判定手段を備え、
前記取り忘れ防止処理手段は、
前記判定手段により前記原稿の機密性が高いと判定され、かつ前記課金判定手段により課金部が備えられていると判定された場合、取り忘れ防止処理を実行する
ことを特徴とする請求項１〜４のうちいずれか１項記載の印刷装置。
【発明の詳細な説明】
【技術分野】
【０００１】
本発明は、原稿の読み取り終了後に、原稿の取り忘れを防止する印刷装置に関する。
【背景技術】
【０００２】
一般的に、印刷したい原稿を画像読み取り部で読み取り、読み取った画像データを印刷部にて印刷する印刷装置がよく知られている。
【０００３】
特許文献１には、画像読み取り部からの原稿の取り忘れを防止するために、画像の読取動作後に、利用者が画像読み取り部の圧板を開き、原稿を取り除いたことを検知してから、出力処理を実行する画像処理システムが提案されている。
【先行技術文献】
【特許文献】
【０００４】
【特許文献１】特開２００６−３１９７２４号公報
【発明の概要】
【発明が解決しようとする課題】
【０００５】
しかしながら、特許文献１に記載の画像処理システムでは、原稿の機密性にかかわらず、全ての原稿について、取り忘れ防止処理を実行するので、毎回印刷する度に、利用者はカバー（圧板）の開閉を行う必要であり、印刷に手間がかかるという課題があった。
【０００６】
本発明は、上記課題に鑑みてなされたものであり、原稿の機密性に応じて原稿の取り忘れ防止処理を実行する印刷装置を提案することにある。
【課題を解決するための手段】
【０００７】
上記目的を達成するため、本発明に係る印刷装置の第１の特徴は、載置された原稿に関する情報を取得する原稿情報取得手段と、前記原稿情報取得手段により取得された原稿に関する情報に基づいて、前記原稿の機密性が高いか否かを判定する判定手段と、前記判定手段により前記原稿の機密性が高いと判定された場合、取り忘れ防止処理を実行する取り忘れ防止処理手段と、を備えたことにある。
【０００８】
本発明に係る印刷装置の第２の特徴は、前記原稿情報取得手段は、前記原稿に関する情報として前記原稿のサイズを取得し、前記判定手段は、前記原稿情報取得手段により取得された原稿のサイズが所定の印刷サイズより小さい場合に、前記原稿の機密性が高いと判定することにある。
【０００９】
本発明に係る印刷装置の第３の特徴は、前記原稿情報取得手段は、前記原稿に関する情報として前記原稿から読み込まれた画像データを取得し、前記判定手段は、前記原稿情報取得手段により取得された画像データに人物の顔画像が含まれている場合に、前記原稿の機密性が高いと判定することにある。
【００１０】
本発明に係る印刷装置の第４の特徴は、前記原稿情報取得手段は、前記原稿に関する情報として、前記原稿にＩＣが含まれているか否かを示す情報を取得し、前記判定手段は、前記原稿情報取得手段により取得された情報に基づいて、前記原稿にＩＣが含まれている場合に前記原稿の機密性が高いと判定することにある。
【００１１】
本発明に係る印刷装置の第５の特徴は、当該印刷装置に課金部が備えられているか否かを判定する課金判定手段を備え、前記取り忘れ防止処理手段は、前記判定手段により前記原稿の機密性が高いと判定され、かつ前記課金判定手段により課金部が備えられていると判定された場合、取り忘れ防止処理を実行することにある。
【発明の効果】
【００１２】
本発明に係る印刷装置の第１の特徴によれば、原稿の機密性が高いと判定された場合のみ、取り忘れ防止処理を実行するので、機密性の高い原稿の取り忘れを防止することができる。
【００１３】
本発明に係る印刷装置の第２の特徴によれば、原稿のサイズが所定の印刷サイズより小さい場合に、原稿の機密性が高いと判定するので、機密性が高いと予想される小さいサイズの原稿の取り忘れを防止することができる。
【００１４】
本発明に係る印刷装置の第３の特徴によれば、画像データに人物の顔画像が含まれている場合に、原稿の機密性が高いと判定するので、機密性が高いと予想される顔写真入りの原稿の取り忘れを防止することができる。
【００１５】
本発明に係る印刷装置の第４の特徴によれば、原稿にＩＣが含まれている場合に原稿の機密性が高いと判定するので、ＩＣが組み込まれたカード等の取り忘れを防止することができる。
【００１６】
本発明に係る印刷装置の第５の特徴によれば、原稿の機密性が高いと判定され、かつ課金部が備えられていると判定された場合、取り忘れ防止処理を実行するので、公の場に設置されている可能性の高い印刷装置において、機密性が高い原稿の取り忘れを防止することができる。
【図面の簡単な説明】
【００１７】
【図１】本発明の一実施形態に係る印刷装置の機能構成を示した機能構成図である。
【図２】本発明の一実施形態に係る印刷装置が備える画像読み取り部の平面図である。
【図３】本発明の一実施形態に係る印刷装置における処理手順を示したフローチャートである。
【発明を実施するための形態】
【００１８】
本発明の実施の形態について図面を参照して説明する。
【００１９】
本発明の一実施形態では、原稿の読み取り終了後に、原稿の取り忘れ防止処理を実行する印刷装置を例に挙げて説明する。
【００２０】
＜印刷装置の機能構成＞
図１は、本発明の一実施形態に係る印刷装置１の機能構成を示した機能構成図である。
【００２１】
図１に示すように、本発明の一実施形態に係る印刷装置１は、画像形成部１０と、この画像形成部１０の上部に設けられた画像読み取り部２と、ＩＣ検出部３と、課金部４とを備えている。
【００２２】
図２は、本発明の一実施形態に係る印刷装置１が備える画像読み取り部２の平面図である。
【００２３】
図２に示すように、画像読み取り部２は、原稿を載置するコンタクトガラス２１、このコンタクトガラス２１に対して接離自在に設けられたカバー（図示しない）、コンタクトガラス２１上に載置された原稿を走査する走査ユニット２２、コンタクトガラス２１上に載置された原稿の有無を検出する原稿有無センサ２３、原稿のサイズを検出するための原稿サイズ検知センサ２４ａ，２４ｂを備えている。
【００２４】
原稿サイズ検知センサ２４ａ，２４ｂは、例えば、それぞれ互いに異なる位置に配置され、原稿有無センサ２３により、コンタクトガラス２１上に載置された原稿が検出されると、それぞれの位置における原稿の有無を検出し検出信号を生成する。そして、この原稿サイズ検知センサ２４ａ，２４ｂにより生成されたそれぞれの検出信号により、原稿のサイズを検出することができる。
【００２５】
例えば、図２に示すように、原稿としてコンタクトガラス２１上に免許証Ａが載置された場合、原稿有無センサ２３は、コンタクトガラス２１上に原稿（免許証Ａ）が載置されたことを検出し、原稿サイズ検知センサ２４ａ，２４ｂのいずれも原稿（免許証Ａ）を検出しないので、コンタクトガラス２１上に、ハガキサイズ未満の原稿が載置されていることがわかる。
【００２６】
そして、走査ユニット２２がコンタクトガラス２１上に載置された原稿を１ライン毎に走査し、画像処理部（図示しない）が走査された画像を処理することにより、画像形成部１０が印刷するための画像データを読み取る。
【００２７】
ＩＣ検出部３は、ＩＣ（integrated circuit）カード等に組み込まれたＩＣを検出し、ＩＣが検出されたことを示すＩＣ検出情報を画像形成部１０へ供給する。
【００２８】
課金部４は、貨幣投入口（図示しない）を備え、利用者により貨幣投入口から貨幣が投入されると、投入された貨幣を検出して課金情報を画像形成部１０へ供給する。
【００２９】
画像形成部１０は、給紙部２０と、印刷部３０と、排紙部４０と、操作部６０と、制御部７０と、外部インタフェース部８２と、メモリ９１とを備えている。
【００３０】
給紙部２０は、印刷用紙が積層される給紙台を備え、この給紙台から印刷用紙を１枚づつ印刷部３０へ向かって搬送経路上を搬送させる。
【００３１】
印刷部３０は、複数の印字ヘッドが組み込まれたＣ（シアン）、Ｍ（マゼンダ）、Ｙ（イエロー）、Ｋ（ブラック）の各色のヘッドユニットを備え、印刷条件により定められる速度で印刷用紙を搬送しながら、ヘッドユニットからインクを吐出することにより、ライン単位で印刷用紙に印刷する。
【００３２】
排紙部４０は、印刷部３０により印刷された印刷用紙を排紙する。
【００３３】
操作部６０は、印刷装置１の上部に設けられ、表示／入力パネル６１と、読み取りや印刷等を開始させるためのスタートキー、読み取りや印刷等を停止させるためのストップキー、印刷枚数等を入力するためのテンキー（いずれも図示せず）等の各種操作キーとを備え、利用者操作に基づく操作信号を制御部７０に供給する。
【００３４】
操作部６０の表示／入力パネル６１は、前面に配置された感圧式あるいは静電式の透明なタッチパネルと、このタッチパネルの裏面に配置された液晶表示パネル（いずれも図示せず）とを有している。利用者は、液晶表示パネルの表示画面を見ながら、タッチパネルの表面を指などで直接触れることで、課金部４が接続されているか否かを示す課金部接続設定情報の設定等の各種設定操作等を行うことができる。
【００３５】
外部インタフェース部８２は、画像読み取り部２、ＩＣ検出部３、及び課金部４との接続インタフェースであり、例えば、画像読み取り部２により検出された原稿サイズや、画像読み取り部２により読み取られた画像データや、ＩＣ検出部３により検出されたＩＣ検出情報や、課金部４により検出された課金情報等を制御部７０へ供給する。
【００３６】
メモリ９１は、不揮発性半導体メモリで構成されている。また、メモリ９１は、原稿が機密文書であることを示す文字列情報や、画像パターンを記憶している。例えば、メモリ９１は、「confidential」、「機密書類」、「秘」、「取り扱い注意」等の機密性が高いことを示す文字列情報や、画像パターンを記憶している。
【００３７】
制御部７０は、印刷装置１の中枢的制御を行い、例えば、貨幣が投入されたことを示す課金情報が供給されると、給紙部２０、印刷部３０、及び排紙部４０を制御することにより、給紙部２０から給紙した印刷用紙に印刷を行う。また、制御部７０は、その機能上、原稿情報取得部７１と、判定部７２と、課金判定部７３と、取り忘れ防止処理部７４とを備えている。
【００３８】
原稿情報取得部７１は、載置された原稿に関する情報を取得する。具体的には、原稿情報取得部７１は、原稿に関する情報として、原稿のサイズ、画像読み取り部２により読み取られた画像データ、及び原稿にＩＣが含まれているか否かを示す情報を取得する。
【００３９】
判定部７２は、原稿情報取得部７１により取得された原稿に関する情報に基づいて、原稿の機密性が高いか否かを判定する。
【００４０】
課金判定部７３は、操作部６０の表示／入力パネル６１により設定された課金部接続設定情報に基づいて、印刷装置１に課金部４が接続されているか否かを判定する。
【００４１】
取り忘れ防止処理部７４は、判定部７２により原稿の機密性が高いと判定され、かつ課金判定部７３により課金部４が接続されていると判定された場合、取り忘れ防止処理を実行する。
【００４２】
＜印刷装置の作用＞
次に、本発明の一実施形態に係る印刷装置１における作用について説明する。
【００４３】
図３は、本発明の一実施形態に係る印刷装置１における処理手順を示したフローチャートである。
【００４４】
図３に示すように、利用者による操作部６０の操作により、印刷が要求された場合（ステップＳ１０１）、原稿情報取得部７１は、画像読み取り部２から原稿サイズを取得する（ステップＳ１０３）。例えば、画像読み取り部２の原稿有無センサ２３により、コンタクトガラス２１上に載置された原稿が検出され、画像読み取り部２の原稿サイズ検知センサ２４ａ，２４ｂのいずれも原稿が検出されていない場合、これらの検出信号に基づいて、原稿サイズをハガキサイズ未満として取得する。
【００４５】
次に、原稿情報取得部７１は、原稿情報取得部７１は、画像読み取り部２により読み取られた画像データを取得する（ステップＳ１０５）。
【００４６】
そして、画像データの読み取りが終了した場合（ステップＳ１０７：ＹＥＳの場合）、原稿情報取得部７１は、画像読み取り部２に原稿が残っているか否かを判定する（ステップＳ１０９）。具体的には、原稿情報取得部７１は、原稿有無センサ２３から供給される検出信号に基づいて、コンタクトガラス２１上に載置された原稿の有無を判定する。
【００４７】
ステップＳ１０９において、画像読み取り部２に原稿が残っていると判定された場合（ＹＥＳの場合）、判定部７２は、ＩＣが検出されたか否かを判定する（ステップＳ１１１）。例えば、コンタクトガラス２１上に載置された原稿が、ＩＣチップが組み込まれたクレジットカードであった場合、判定部７２は、ＩＣ検出部３から供給される検出信号に基づいて、ＩＣが検出されたと判定する。
【００４８】
ステップＳ１１１において、ＩＣが検出されないと判定された場合（ＮＯの場合）、判定部７２は、画像データに機密パターン画像が含まれるか否かを判定する（ステップＳ１１３）。具体的には、判定部７２は、画像読み取り部２により読み取られた画像データが、メモリ９１に記憶された機密画像パターンと一致する場合、画像データに機密パターン画像が含まれると判定する。
【００４９】
ステップＳ１１３において、画像データに機密パターン画像が含まれないと判定された場合（ＮＯの場合）、判定部７２は、ステップＳ１０３において取得された原稿サイズがハガキサイズ未満か否かを判定する（ステップＳ１１５）。例えば、コンタクトガラス２１上に載置された原稿が免許証であった場合、原稿サイズ検知センサ２４ａ，２４ｂのいずれも免許証を検出しないので、判定部７２は、原稿サイズを、ハガキサイズ未満であると判定する。
【００５０】
ステップＳ１１５において、原稿サイズがハガキサイズ以上であると判定された場合（ＮＯの場合）、判定部７２は、画像データに人物の顔画像が含まれるか否かを判定する（ステップＳ１１７）。具体的には、判定部７２は、画像読み取り部２により読み取られた画像データの肌色領域の面積が所定の面積（例えば、１８０ｍｍ２）以上であれば、画像データに人物の顔画像が含まれると判定したり、汎用的な顔認識技術を用いて画像データに人物の顔画像が含まれるか否かを判したりする。例えば、コンタクトガラス２１上に載置された原稿が、写真が貼付されたＡ４サイズの履歴書であった場合、判定部７２は、画像データに顔画像が含まれると判定する。
【００５１】
そして、ステップＳ１１１において、ＩＣが検出されたと判定された場合（ＹＥＳの場合）、ステップＳ１１３において、画像データに機密パターン画像が含まれていると判定された場合（ＹＥＳの場合）、ステップＳ１１５において、原稿サイズがハガキサイズ未満であると判定された場合（ＹＥＳの場合）、又は、ステップＳ１１７において、画像データに人物の顔画像が含まれると判定された場合（ＹＥＳの場合）、判定部７２は、コンタクトガラス２１上に載置された原稿の機密性が高いと判定する（ステップＳ１１９）。
【００５２】
一方、ステップＳ１１１において、ＩＣが検出されていないと判定され（ＮＯの場合）、かつ、ステップＳ１１３において、画像データに機密パターン画像が含まれていないと判定され（ＮＯの場合）、かつ、ステップＳ１１５において、原稿サイズがハガキサイズ以上であると判定され（ＮＯの場合）、かつ、ステップＳ１１７において、画像データに人物の顔画像が含まれないと判定された場合（ＮＯの場合）、判定部７２は、コンタクトガラス２１上に載置された原稿の機密性が低いと判定する（ステップＳ１１８）。
【００５３】
次に、課金判定部７３は、課金部４が接続されているか否かを判定する（ステップＳ１２１）。具体的には、課金判定部７３は、操作部６０の表示／入力パネル６１により設定された課金部接続設定情報に基づいて、課金部４が接続されているか否かを判定する。
【００５４】
ステップＳ１２１において、課金部４が接続されていると判定された場合（ＹＥＳの場合）、取り忘れ防止処理部７４は、取り忘れ防止処理を実行する（ステップＳ１２３）。具体的には、取り忘れ防止処理部７４は、印刷処理の実行が要求されたとしてもその要求を無効にするための印刷処理ロック設定をオンにすると共に、「原稿台に原稿が残っています」等の原稿を取り忘れている旨を示す取り忘れ防止メッセージを操作部６０の表示／入力パネル６１に表示させる。
【００５５】
次に、取り忘れ防止処理部７４は、原稿有無センサ２３から供給された検出信号に基づいて、コンタクトガラス２１上の原稿が取り除かれたか否かを判定する（ステップＳ１２５）。
【００５６】
ステップＳ１２５において、コンタクトガラス２１上の原稿が取り除かれたと判定された場合（ＹＥＳの場合）、取り忘れ防止処理部７４は、原稿取り忘れ防止処理を解除する（ステップＳ１２７）。具体的には、取り忘れ防止処理部７４は、印刷処理ロック設定をオフにすると共に、取り忘れ防止メッセージを消去する。
【００５７】
次に、制御部７０は、印刷処理を実行する（ステップＳ１２９）。具体的には、制御部７０は、画像読み取り部２により読み込まれた画像データに基づいて、給紙部２０、印刷部３０、及び排紙部４０を制御することにより、印刷条件により定められる速度で給紙部２０から印刷用紙を搬送しながら、印刷部３０のヘッドユニットからインクを吐出することにより、ライン単位で印刷用紙に印刷し、印刷された印刷用紙を排紙部４０に排紙する。
【００５８】
以上のように、本発明の一実施形態に係る印刷装置１によれば、原稿の機密性が高いと判定された場合に、取り忘れ防止処理を実行するので、機密性の高い原稿の取り忘れを防止することができると共に、原稿の機密性が低い場合には、取り忘れ防止処理を実行することなく印刷処理を実行するので、利用者は原稿を取り除く作業を行うことなく、カバーの開閉を省略して印刷を行うことができる。
【００５９】
また、一般的に、課金部４は、コンビニエンスストアやスーパー等の公の場所に設置される場合が多い。そのため、課金部４が画像形成部１０に接続されている場合に、取り忘れ防止処理を実行することにより、面識のない第三者に、コンタクトガラス２１上に置き忘れた原稿を見られることを防止することができる。一方、同じ社内等の閉じられた空間内に設置される画像形成部１０には、課金部４が接続されていない場合が多い。そのため、課金部４が画像形成部１０に接続されていない場合には、取り忘れ防止処理を実行することなく印刷処理を実行することにより、利用者は原稿を取り除く作業を行うことなく、カバーの開閉作業を省略して印刷を行うことができる。
【００６０】
なお、本発明の一実施形態に係る印刷装置１では、ＩＣが検出されたと判定された場合、画像データに機密パターン画像が含まれていると判定された場合、原稿サイズがハガキサイズ未満であると判定された場合、又は、画像データに人物の顔画像が含まれると判定された場合、コンタクトガラス２１上に載置された原稿の機密が高いと判定したが、これらの判定処理は、全て必須とは限らない。
【００６１】
例えば、ＩＣを検出することなく、画像データに機密パターン画像が含まれていると判定された場合、コンタクトガラス２１上に載置された原稿の機密が高いと判定してもよいし、画像データに機密パターン画像が含まれているか否かを判定することなく、原稿サイズがハガキサイズ未満であると判定された場合、コンタクトガラス２１上に載置された原稿の機密性が高いと判定してもよい。即ち、ステップＳ１１１〜Ｓ１１７は、必要に応じていくつかのステップの処理を組み合わせるようにしてもよいし、必要に応じてこれらのうち少なくともいずれか１つの処理を実行することによりいずれか１つの条件を満たした場合に、機密性が高いと判定するようにしてもよい。また、ステップＳ１２１における課金部４が接続されているか否かを判定する処理も省略することが可能である。
【００６２】
さらに、本発明の一実施形態に係る印刷装置１では、ステップＳ１１１〜Ｓ１１７のうち、全ての処理を実行することにより全ての条件を満たした場合にのみ、機密性が高いと判定するようにしてもよい。この場合、機密性が高いか否かを判定する精度をより向上させることができる。
【００６３】
また、本発明の一実施形態に係る印刷装置１では、ライン単位で印刷を行うインクジェット方式のラインカラープリンタを例に挙げて説明したが、これに限らず、シリアルインクジェット方式、レーザ方式、又は孔版印刷方式等の印刷装置であってもよい。
【符号の説明】
【００６４】
１…印刷装置
２…画像読み取り部
３…ＩＣ検出部
４…課金部
１０…画像形成部
２０…給紙部
２１…コンタクトガラス
２２…走査ユニット
２３…原稿有無センサ
２４ａ，２４ｂ…原稿サイズ検知センサ
３０…印刷部
４０…排紙部
６０…操作部
６１…表示／入力パネル
７０…制御部
７１…原稿情報取得部
７２…判定部
７３…課金判定部
７４…取り忘れ防止処理部
８２…外部インタフェース部
９１…メモリ
【図１】
2012109761.tif 000003
【図２】
2012109761.tif 000004
【図３】
2012109761.tif 000005